(57)【要約】【課題】  設置位置が高くても、簡単且つ軽い操作で棚高さを上下移動できるとともに、棚容器内に食品がある場合は勿論、空の状態であっても、引き降ろし時に棚容器を下方位置に停止状態で保持して収納の使い勝手を改善し、且つ、棚容器の上下動機構をコンパクトにした棚装置、および、この棚装置を備えた冷蔵庫を提供する。【解決手段】  収納室２に固着した固定レール７内を水平に摺動する可動レール８と、可動レールにアーム９、10を回動自在に軸支するとともに一端を可動レールに保持し他端をアームの回動に連動させてアームに回動力を付勢したバネ部材16と、アーム先端間に保持した棚容器６とからなり、可動レールで棚容器を前後移動し、アームの前方下部への回動により棚容器を上下移動させ、バネ部材を引っ張るとともにバネ部材とほぼ同一直線上に設けた衝撃吸収ダンパー17を押圧することで下方回動を停止する。【選択図】  図１
2006162229.tif 000002
【特許請求の範囲】
【請求項１】
収納室内上部に設けた棚空間の側壁に固着した固定レールと、この固定レール内を水平方向に摺動する可動レールと、可動レールにアームを回動自在に軸支するとともに一端を可動レールに保持し他端をアームの回動に連動させることでアームに上方への回動力を付勢したバネ部材と、両側のアームの回動先端間に保持した棚容器とからなり、前記可動レールによって棚容器を前後移動し、前記アームの回動によって棚容器を水平状態を保持して上下移動させ、前記アームの前方下部への回動により、バネ部材をそのバネ力に抗して引っ張るとともにバネ部材とほぼ同一直線上に設けた衝撃吸収用のダンパーを前方へ押圧して係止させることでアームの下方への回動を停止するようにしたことを特徴とする棚装置。
【請求項２】
アームの回動に連動するカム体を可動レールに軸支し、このカム体にバネ部材の他端を係止させてアームに回動力を付勢したことを特徴とする請求項１記載の棚装置。
【請求項３】
カム体におけるバネ部材の他端の係止部は、カム体の軸支部に対して、棚容器が最上位置にあるときは軸支部の後方に位置し、棚容器が最下部近傍にあるときは前記後方位置より前方へ約１８０度の角度で回転した対向位置になるようにしたことを特徴とする請求項２記載の棚装置。
【請求項４】
カム体の回転によってダンパーを前方へ押圧し所定位置で停止させるようにしたことを特徴とする請求項１または２記載の棚装置。
【請求項５】
可動レールに前後方向への筒状のホルダーを形成し、このホルダー内に棒状体のダンパーを摺動自在に保持するとともにカム体の回転によって移動させ、前方への所定量移動で停止するようにしたことを特徴とする請求項４記載の棚装置。
【請求項６】
請求項１乃至５のいずれか１項に記載の棚装置を貯蔵室の最上段の棚空間に配置したことを特徴とする冷蔵庫。
【発明の詳細な説明】
【技術分野】
【０００１】
本発明は棚装置に係り、冷蔵庫の貯蔵室に設けた食品載置棚や容器、食器棚、あるいは台所や倉庫など収納棚において、特に前後および上下位置を変更できる棚装置、およびこの棚装置を設けた冷蔵庫に関する。
【背景技術】
【０００２】
近年、例えば冷蔵庫や台所収納棚は、食生活の多様化とともに収納量も大形化傾向にあり、特に家庭用冷蔵庫においては、収納内容積が４００リットルを越えるクラスが主流になっており、冷蔵庫本体の外形高さ寸法は１８０ｃｍ程度になるとともに、幅寸法や奥行き寸法も大きくなる傾向にある。
【０００３】
そして冷蔵庫の形態としては、最も収納容積の大きい冷蔵室が本体上部に配置されており、冷蔵室における最上段棚の底面位置は床面から約１６０ｃｍの高さとなるため、奥行き寸法も深いことから、身長の低い人にとって、最上段の棚への食品の収納や取出し作業は困難となることが多いばかりでなく収納状態の確認もしにくいものであり、特にその棚奥部については非常に使い難いスペースとなっていた。
【０００４】
これに対して、本発明の出願人の出願に係る特許文献１には、図８に示すように、冷蔵室（52）の上段両側壁に固定レール（57）を配置し、この固定レール（57）内を水平方向に摺動する滑車を設けた可動レール（58）に回動自在に前後アーム（59）（60）を軸支して両側のアーム（59）（60）間を棚支え（61）および棚受け（61′）で連結し、この棚支え（61）および棚受け（61′）に棚容器（56）を載置して棚固定具（71）で固定し、前記可動レール（58）で棚容器（56）を前方移動するとともにアーム（59）（60）の回動で棚容器（56）を水平状態を保持したまま上下移動可能とすることによって、使用者の手が届きやすく使い勝手を良好にした棚装置が示されている。
【０００５】
前記構成の棚容器は、最上段の棚の上下移動を含む引き出し収納の使い勝手が良好となる利点を有する反面、図８の部分詳細図である図９、および図９を内側からみた分解斜視図である図10に示すように、アーム（59）（60）の回動に渦巻きバネ（66）を使用して、棚容器（56）を前方下部へ回動するときは棚容器機構の重量による下降速度を抑制し、逆に後方上部へ上昇させる際には、棚容器（56）に対して上昇力を付与して、持ち上げのための負荷を軽減するように作用させている。
【特許文献１】特開２００４−５３２１１号公報
【発明の開示】
【発明が解決しようとする課題】
【０００６】
前記棚容器（56）の上下移動機構は、種々の収納状態における使い勝手の実験データから、例えば、棚容器（56）が下方位置にある場合は、１ｋｇの食品を収納することで停止状態を保持するように設計されているため、食品を収納していない場合に棚容器から手を離すと、前記渦巻きバネ（66）による上昇力が大きくなって、棚容器（56）は上方に移動してしまうことになる。
【０００７】
したがって、空の棚容器（56）を引き下ろして食品を新たに収納するような場合は、下方位置で棚容器を押さえておく必要があり、比較的大きなものや重いものを収納する場合に両手を使うことができない不便さがあるとともに、前記による棚容器の上下移動機構が複雑で、且つ冷蔵庫内に占める容積が大きいため、食品の収納容積が少なくなる欠点があった。
【０００８】
本発明は上記点を考慮してなされたもので、収納貯蔵室内における設置位置が高くても、簡単で且つ軽い操作で棚高さ位置を上下移動できるとともに、上下移動可能な棚容器内に食品が載置状態にある場合は勿論、収納物がない空の状態であっても、引き降ろし時に棚容器を下方位置に停止状態で保持して収納の使い勝手を改善し、且つ、棚容器の上下移動機構をコンパクトにして食品の収納容積の拡大をはかった棚装置、および、この棚装置を備えた冷蔵庫を提供することを目的とする。
【課題を解決するための手段】
【０００９】
本発明の棚装置は、収納室内上部に設けた棚空間の側壁に固着した固定レールと、この固定レール内を水平方向に摺動する可動レールと、可動レールにアームを回動自在に軸支するとともに一端を可動レールに保持し他端をアームの回動に連動させることでアームに上方への回動力を付勢したバネ部材と、両側のアームの回動先端間に保持した棚容器とからなり、前記可動レールによって棚容器を前後移動し、前記アームの回動によって棚容器を水平状態を保持して上下移動させ、前記アームの前方下部への回動により、バネ部材をそのバネ力に抗して引っ張るとともにバネ部材とほぼ同一直線上に設けた衝撃吸収用のダンパーを前方へ押圧して係止させることでアームの下方への回動を停止するようにしたことを特徴とするものである。
【発明の効果】
【００１０】
この発明によれば、室内の最上段部位置にある棚容器であっても、棚高さ位置を上下移動して食品の収納や取り出し性のよい棚容器装置を得られるとともに、棚容器内に食品を収納していない空の状態であっても、引き降ろし時には棚容器を下方位置に停止状態に保持することができるため、棚容器を上方移動しないように押さえておく必要がなく、比較的大きなものや重いものを収納する場合に両手でおこなうことができ使い勝手を向上できる。また棚容器の上下動機構をコンパクト化して食品などの収納容積効率を高くすることができるものである。
【発明を実施するための最良の形態】
【００１１】
以下、図面に基づき本発明の一実施形態について説明する。図１は、断熱キャビネットからなる冷蔵庫本体（１）の最上部に配設した冷蔵室（２）の室内を示す斜視図であり、この冷蔵室（２）やその下方に配置した図示しない野菜室や冷凍室ほかの貯蔵室は、外箱の内側に断熱材を介して設けた内箱（３）により形成されている。
【００１２】
冷蔵室（２）は、従来と同様に、その背面に設けた図示しない冷却器で生成した冷気をファンからダクトを経由し、冷気吐出口によって室内に導入し冷却する構成であり、室内は載置棚（５）によって複数の収納部に区分し、冷蔵食品の貯蔵空間を形成している。
【００１３】
（６）は、冷蔵室（２）内の最上部に全幅に亙って設置した棚容器であり、周壁を設けて容器状に形成するとともに前面は低壁にして上下に大きく開口させている。背壁は立ち上がり壁をやや低くして、背面に設けた前記ファンからの冷却空気を容器内に導入し易くしているが、冷気ダクトを冷蔵室（２）の背壁から天井面に延長し、上面からの冷気吹き出しにより冷却効率を向上させてもよい。
【００１４】
前記棚容器（６）は、内箱（３）の左右側壁の上部に奥行き方向に亙って固定レール（７）を水平に配置し、棚容器（６）を取り除いた図３に示すように、この固定レール（７）内を摺動する可動レール（８）のベース面に軸支した前アーム（９）と後アーム（10）、および棚支え（11）により前後移動とともに上下回動自在に保持されており、前記棚容器（６）はこの棚支え（11）により所定位置に保持して載置されている。
【００１５】
以下、棚容器（６）の前後および上下可動構成について詳細に説明する。図１の庫内側から棚機構部をみた状態である図２に示すように、固定レール（７）は冷蔵室（２）の上部の所定高さ位置に奥行き方向に亙って配設されており、棚容器（６）の奥行きは、閉扉の際に冷蔵室前面開口における扉（12）の内側ポケット部が近年の収納量増大傾向によって室内側に相当量突出していることから前記冷蔵室（２）の奥行き寸法の半分程度に設定している。
【００１６】
断面コ字状の固定レール（７）内には、図３、図４に示すように、奥行き長手方向の外側後方部に所定間隔を有して取り付けた２個の滑車（13）により水平方向に摺動する可動レール（８）を設け、この両側の可動レール（８）のベース面の内側には、前アーム（９）および後アーム（10）を離間してその下部を回動自在に軸支し、この前アーム（９）と後アーム（10）の先端の近接する２つの作用点（９ａ）（10ａ）で軸着することにより、棚支え（11）を前後アームの回動に沿って平行移動可能に保持している。この作用点（９ａ）（10ａ）は、前記軸支部（９ｂ）（10ｂ）の垂直上方部より約１５度後方に位置させており、前方への回動時には一旦上昇したのち下方回動するようにしている。
【００１７】
冷蔵室（２）の両側壁部に位置して水平の棚受け部を形成した前記棚支え（11）間には、前方に張り出して枠状に湾曲させた金属ワイヤからなる保持枠（14）を固着しており、この棚支え（11）と保持枠（14）を設けた可動レール（８）によって棚容器（６）を安定して保持することで、棚容器自体に補強構造を施すことなく固定レール（７）上を前後方向に移動し、前後アーム（９）（10）によって棚容器（６）を水平状態を保持したまま上下回動可能に配置している。
【００１８】
両側の可動レール（８）の外側には、前記前後アーム（９）（10）の回動を制御するとともに、可動レール（８）が固定レール（７）の最前端の係止位置まで移動した際には、前後アーム（９）（10）の回動を許容し、前後アームとともに棚支え（11）を移動して、棚支え（11）に載置した棚容器（６）を下方へ移動可能にするカム体（15）を軸支している。
【００１９】
カム体（15）は、ほぼ半円状の板体から形成され、板面の前方下部に位置させた前アーム（９）の回動軸支部（９ｂ）を支点として、前アーム（９）の回動に連動して回転するように構成されており、前記棚容器（６）が冷蔵室（２）内の上方部にあるとき、すなわち前後アーム（９）（10）が回動していないときには、図４に示すように、軸支部（９ｂ）がカム表面の前方下部に位置し、軸支部（９ｂ）の近傍からの円弧状部（15ａ）を上部後方に至るように配置している。
【００２０】
この状態における前記円弧状部（15ａ）の上面は、前記固定レール（７）の下面の当接させており、この当接によるカム体（15）の係止によって可動レール（８）が固定レール（７）内を水平に摺動して前端で停止するまでの間は前後アーム（９）（10）の回動を阻止している。したがって、上部にある棚容器（６）が前方へ摺動移動している間の下方への回動は阻止され、降下によって棚容器（６）が下方に位置する棚（５）上の食品に接触し損壊することを防いでいる。
【００２１】
棚容器（６）の前方への摺動によって、前記カム体（15）が固定レール（７）の下面から離間した際には、カム体（15）の係止状態が解除されて前後アーム（９）（10）の回動が可能となるとともに、回転によってカム体（15）の円弧状部の端部が上方に突出することになり、この突出部と固定レール（７）前端との当接によって可動レール（８）の後方への水平移動は阻止され、棚容器（６）が下方位置から直接後方に摺動しないようにしている。これも上記と同様に、棚容器（６）が下方位置から直接後方に移動した場合の後方に位置する下段の棚上の食品との接触を防止するためである。
【００２２】
前記のように、カム体（15）の係止状態の解除にともない、前後アーム（９）（10）の回動も可能となって棚容器（６）の回動降下をおこなうことができる。そして、可動レール（８）の後端に一端を係止した引っ張りコイルバネからなるバネ部材（16）の他端を、図４位置でのカム体（15）表面における前記軸支部（９ｂ）の後部側で、且つ、わずかに高い位置に係止させており、前後アーム（９）（10）を回動することで棚容器（６）が最下部に移動した際には、カム体（15）は図５に示す状態となって、前記後方位置より前方へ約１８０度の角度で回転した対向位置になるようにしている。
【００２３】
それゆえ、この状態で手を離しても、バネ部材（16）の他端のカム体（15）への係止部は軸支部（９ｂ）のほぼ直線上の前方側にあるため、カム体（15）を回転させる方向へは大きな引っ張り力が生ぜず、棚容器（６）は上方向に回動することなく停止状態を保持するので、食品の収納に際して両手を使用することができ、使い勝手をより改善することができる。
【００２４】
そして、棚容器（６）をわずかに持ち上げた場合は、カム体（15）が回転してバネ部材（16）の係止点が上方に移動するために再び引っ張り力が生じ、前アーム（９）に対して戻る方向、すなわち前アームに上方および後方への回動力を付勢するようにしている。
【００２５】
前記バネ部材（16）は、前後アーム（９）（10）の回動に連動するカム体（15）の回転によって伸長し、棚容器（６）を前部下方へ回動させる際には伸長に対する復帰力によって棚容器機構の重量による急激な下降を抑制し、逆に、棚容器（６）を上方後部へ移動させる際には前記復帰力によって棚容器（６に）上昇力を付与し、持ち上げのための負荷を軽減するように作用するものである。
【００２６】
さらに、カム体（15）の前方側の端縁には可動レール（８）に沿って前方へ延びるダンパー（17）の後端を当接させている。このダンパー（17）は筒状体内に封入したオイルをピストンで直線的に圧縮するオイルダンパーであり、前後アーム（９）（10）の回動に連動して軸支部（９ｂ）よりの距離が長くなるカム体（15）の端面で押圧されるが、ピストンの粘性抵抗によって棚容器（６）の最下端停止部より数１０ｍｍの範囲でカム体（15）の回転を抑制し、前後アーム（９）（10）の下降スピードを減速して衝撃吸収作用をおこなうものである。
【００２７】
アーム下降時のダンパー（17）の緩衝力は、前記棚容器上昇用のバネ部材（16）の付勢力より大きくして無負荷時における棚容器（６）の押し下げ力を適当な軽さにするとともに、棚容器（６）の降下時には、先端のゴムブッシュ（18）が可動レール（８）に設けたストッパー部（19）を柔軟に押圧しながら最下方位置で回動を停止させることで、急激な降下を防ぎ、衝撃を抑制する。
【００２８】
円筒状のダンパー（17）は、横断面図である図６に示すように、可動レール（８）の前方部に固着されたダンパーカバー（20）に保持されており、ダンパー（17）の外形に合致させたダンパーカバー（20）の内面側に前記ダンパー（17）を前後摺動可能に抱持している。
【００２９】
このとき、円筒状のダンパー（17）の外形を後方に向かって径小となるように複数の段部（17ａ）を形成し、ダンパーカバー（20）にもこれに係合する段部（20ａ）を設けるとともに先端にストッパー部（19）を一体に形成すれば、カム体（15）の回転による押圧に対してダンパー（17）が横方向にぶれることなくスムーズにカバー（20）内を摺動し、ストッパー部（19）に当接して停止させることができ、圧縮状態から後方への復元時にも、スムーズに原状態に戻って所定の位置に係止させることができるものであり、前方のストッパー部（19）と後方への係止構成を簡単に形成することができる。
【００３０】
なお、本実施例では、ダンパーをピストン式のオイルダンパーとしたが、これに限らず、ピストン式やロータリー式のエアダンパーなど衝撃を吸収し衝撃音を抑制するものであればよい。
【００３１】
前後アーム（９）（10）の内面側には、前後アームを連結固定する前記棚支え（11）を設けており、保持枠（16）を共締めして、棚容器（６）の収納保持部を形成している。棚容器（６）は、上記状態で棚支え機構部の間に支持配設するとともに、前端下縁を保持枠（16）に嵌入させ、上側縁部を棚固定具（21）により棚支え（11）の上面に着脱自在に係止される。
【００３２】
そして、上記のように、前後のアーム（９）（10）、棚支え（11）、カム体（15）やバネ部材（16）、ダンパー（17）などを一体に組み立てた棚機構部は、その可動レール（８）部分を固定レール（７）のコ字状溝内に前方から挿入して配置させ、しかる後、固定レール（７）の前方開口を前ストッパ（７ａ）で封止することで冷蔵室（２）内に設置されるものであり、棚容器（６）の引き出し時には、可動レール（８）の滑車（13）がこの前ストッパ（７ａ）に当接して前方への摺動を停止させ、固定レール（７）への取り付け部をゴムなどの弾性材料で形成することで滑車（13）の前ストッパ（７ａ）への衝撃力を緩和して音の発生を抑えている。
【００３３】
次に、本発明の動作について説明する。冷蔵室（２）が閉扉状態にある通常の棚容器（６）の載置状態においては、可動レール（８）は固定レール（７）内の最奥部にあり、それとともに前後アーム（９）（10）も立設状態で可動レール（８）の後部に位置し、棚容器（６）は室内最上段の奥部に位置して保持されている。
【００３４】
食品（22）の収納や載置食品の取出しのために棚容器（６）を下方移動する場合は、棚容器（６）の前端を把持して前方へ引き出せば、可動レール（８）が滑車（13）に支持された状態で固定レール（７）内を摺動し、奥行き寸法の２／３程度前方に移動する。
【００３５】
この状態においては、可動レール（８）に取り付けられたカム体（15）は、その上部の円弧状部（15ａ）が固定レール（７）の下面に当接しているためその回転が阻止され、カム体（15）と同軸で係合している前後アーム（９）（10）も回動を阻止されるので、棚容器（６）は下方へ移動することはない。
【００３６】
そして可動レール（８）が最前端に至り、カム体（15）が固定レール（７）の前端から外れたときに、カム体（15）の回転とともに、前アーム（９）および後アーム（10）の回動が可能となる。
【００３７】
このとき、前アーム（９）に連動するように固着したカム体（15）は図４の状態にあり、軸止部（９ａ）（９ｂ）に対してアームの作用点（９ａ）（９ｂ）垂直の上部位置から後方にあり、バネ部材（16）の引っ張り力も作用するため、前方への引っ張り力に対して応力は当初上方向に作用することから、引き下ろし動作としては抵抗となる。したがって、棚容器（６）は前方に移動しているので、この状態で食品（22）の収納取り出し作業をおこなってもよく、さらに前方下部に棚容器を移動する場合は、引き続き、棚容器（６）の前端縁を把持して斜め下方へ引き下ろす。
【００３８】
前記により、前後アーム（９）（10）は軸支部（９ｂ）（10ｂ）を支点として下方へ回動し、それぞれの作用点（９ａ）（10ａ）を連結係合した棚支え（11）により、棚支え（11）上の棚容器（６）は水平状態を保持したまま棚一段分下方の冷蔵庫本体開口部の前方まで降下して図１の状態となる。
【００３９】
この最下降位置における棚容器（６）の底面位置は、床面から１４０〜１５５ｃｍの高さに設定した。これは冷蔵庫の主な使用者である女性の平均身長が１５８ｃｍであることから、その目線の位置に合わせることで収納食品の状態を充分に視認でき、楽に収納取り出しができるようにしたものである。
【００４０】
棚容器（６）を下降させる中途段階においては、前記カム体（15）の円弧状部（15ａ）は前アーム（９）ともに回動することによりその端縁は移動して上方に突出するので、このときに万一使用者が棚容器（６）を奥方へ押し込もうとしても、カム体の円弧状部（15ａ）が固定レール（７）の前端縁に当接するため、ストッパ作用により棚容器が後方移動することはない。
【００４１】
下降時における棚容器（６）および棚保持機構は、載置食品の重さを含めて相当な重量になるが、カム体（15）に端部を係止しているバネ部体（16）の引っ張り力によりアーム（９）の落下速度が抑えられ、適当な力で降下させることができるとともに、さらに棚容器（６）が最下部近傍の位置まで下降した場合は、カム体の円弧状部（15ａ）の端縁がダンパー（17）を押圧するので、その衝撃吸収力によって前後アーム（９）（10）の回動に抵抗力を与え、先端のゴムブッシュ（18）がストッパ部（19）に当接して騒音を発することなく、棚容器（６）のそれ以上の下降を阻止し定位置に保持するものである。
【００４２】
下方位置にある棚容器（６）を上部位置に戻す場合は、下降動作と逆に棚容器の前端を把持して斜め上方へ持ち上げて前後アーム（９）（10）を上方へ回動させればカム体（15）はダンパー（17）から離間して回転し、バネ部材（16）の復帰力により、アームの回動上昇力を助長して軽い力の付与のみで棚容器（６）を上昇させることができる。したがって、棚容器（６）の上昇時に於いては、カム体（15）はダンパー（17）の影響を受けず、またダンパー（17）は自然に元の状態まで復帰する。
【００４３】
棚容器（６）が上昇すれば、カム体（15）は再び図４の状態となり、固定レール（７）の下面に進入することができるため、可動レール（８）の後方への摺動は可能となり、押し込むことで棚容器（６）を冷蔵室（２）の最上部における所定の後方位置に収納することができる。
【００４４】
上記構成によれば、従来必要であった棚容器の上下動機構における渦巻きバネ（）をコイルバネからなるバネ部材（16）にして可動レール（８）の外側に沿わせるように配置し、このバネ部材（16）とほぼ同一直線上の前方部にカム体（15）を介してダンパー（17）を設け、前アーム（９）の回動に連動するカム体（15）の回転によってダンパー（17）を前方へ押圧して緩衝作用を得ながら係止させることでアームの下方への回動を停止するようにしたので、バネ部材（16）、カム体（15）およびダンパー（17）を直線状に配置して可動レール（８）の外側における従来の無効空間に収納することができる。
【００４５】
これによって、従来例を示す前記図９、図10、および前方からの断面である図11と、本発明の同部分の断面図である図７との比較から明らかなように、従来必要であった渦巻きバネ（66）およびこのバネ部で手指を挟まれないように保護するためこの渦巻きバネを覆うカバー体（70）による棚容器（56）上下動機構の幅方向の厚みｔを不要として、１／２以下の厚みｔ′まで薄くしてコンパクト化することができ、この厚み寸法の削減により、本発明においては棚容器（６）自体の幅寸法を拡げることができ、食品収納容積を拡大することができる。また、棚機構部の複雑さをなくしてシンプル化でき、外観的にも良好な棚容器上下動機構を有する冷蔵庫を得ることができる。
【００４６】
上記実施例において、本発明構成を家庭用冷蔵庫における棚装置として採用する場合は、棚容器（６）を冷蔵室内の全幅に亙って設けるだけでなく、冷蔵室（２）内を幅方向に亙って一乃至複数の仕切板で区分し、その個々に対して上記棚装置を取り付け、棚容器（６）が上下移動できるようにしてもよい。
【００４７】
なお、上記実施形態については、冷蔵庫における載置棚に採用した例によって説明したが、本発明はこれに限るものではなく、一般容器や食器の摺動棚、あるいは台所の収納装置や倉庫などの棚構成として採用しても良いことにはもちろんである。また、棚容器についても容器状ではなく下方における載置棚と同様の平板状の棚であっても何ら差し支えなく、採用位置も最上段でなくともよい。
【産業上の利用可能性】
【００４８】
本発明は、前後および上下位置を変更できる棚装置、および棚装置を備えた冷蔵庫に利用することができる。
【図面の簡単な説明】
【００４９】
【図１】本発明の一実施形態を示す冷蔵室内の一部切欠斜視図である。
【図２】図１における冷蔵室内の棚機構部を示す斜視図である。
【図３】図２の可動レールと棚上下動機構を示す詳細斜視図である。
【図４】室内の上部後方に位置した棚上下移動機構の側面図である。
【図５】棚容器を下部前方に移動した状態を示す棚上下移動機構の側面図である。
【図６】図４に示す棚移動機構の横断面図である。
【図７】図４に示す棚移動機構の正面図である。
【図８】図１と同一部分の従来例を示す冷蔵庫の斜視図である。
【図９】図８における棚機構部の詳細斜視図である。
【図１０】図９を室内側からみた棚機構部の分解斜視図である。
【図１１】図７と同一部分の従来例を示す正面図である。
【符号の説明】
【００５０】
１  冷蔵庫本体            ２  冷蔵室                ５  載置棚
６  棚容器                ７  固定レール            ７ａ  前ストッパー
８  可動レール            ９  前アーム              10  後アーム
９ａ、10ａ  作用点        ９ｂ、10ｂ  軸支部        11  棚支え
13  滑車                  14  保持枠                15  カム体
15ａ  円弧状部            16  バネ部材              17  ダンパー
17ａ  段部                18  ゴムブッシュ          19  ストッパー部
20  ダンパーカバー        21  棚固定具              22  食品
【図１】
2006162229.tif 000003
【図２】
2006162229.tif 000004
【図３】
2006162229.tif 000005
【図４】
2006162229.tif 000006
【図５】
2006162229.tif 000007
【図６】
2006162229.tif 000008
【図７】
2006162229.tif 000009
【図８】
2006162229.tif 000010
【図９】
2006162229.tif 000011
【図１０】
2006162229.tif 000012
【図１１】
2006162229.tif 000013